(57)【要約】【課題】本発明は、パッドを省略して、メガネをＧ型モダンで支えて、メガネを掛けるようにすることを課題としている。【解決手段】一個又は二個のレンズ８、８がパッドを省略して形成されているレンズ部１８と、このレンズ部１８の両脇のヨロイ１２、１２とを介して、延長されているテンプル１４、１４の後に、Ｇ型モダン１、１が結合されているメガネであって、Ｇ型モダン１、１が耳殻の外側の形状に沿わせて延長されており、その終端部は耳朶３、３を避けるように前方に湾曲されており、このＧ型モダン１、１の終端部の最後尾には、耳穴２、２に固定するための保持体７、７が設けられている構造である。【選択図】    図１
2010176044.tif 000002
【特許請求の範囲】
【請求項１】
一個又は二個のレンズ（８、８）がパッドを省略して形成されているレンズ部（１８）と、このレンズ部（１８）の両脇のヨロイ（１２、１２）とを介して、延長されているテンプル（１４、１４）の後に、Ｇ型モダン（１、１）が結合されているメガネであって、上記Ｇ型モダン（１、１）が耳殻の外側の形状に沿わせて延長されており、その終端部は耳朶（３、３）を避けるように前方に湾曲されており、このＧ型モダン（１、１）の終端部の最後尾には、耳穴（２、２）に固定するための保持体（７、７）が設けられていることを特徴とするパッド無しメガネ。
【請求項２】
左右２本のテンプル（１４、１４）の先に設けたヨロイ（５、５）に、二個のレンズ（８、８）のブリッジを省略して取り付け、このテンプル（１４、１４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられ、このＧ型モダン（２、２）が支持体（３０）によって結合されていることを特徴とするパッド無しメガネ。
【請求項３】
上記レンズ部（１８）の代わりに、一個又は二個の拡大鏡（９、９）がパッドを省略して形成されている拡大鏡部（１９）で成されていることを特徴とする請求項１記載のパッド無しメガネ。
【請求項４】
上記レンズ部（１８）に着脱部（１５、１５）を設け、前方に補助テンプル（２４、２４）を延設し、この補助テンプル（２４、２４）の先端にルーペ（１０）を結合させてルーペ部（２０）とし、このルーペ部（２０）を着脱可能に設けるか、又は上記補助テンプル（２４、２４）の後端に結合部（２３、２３）を取り付けルーペ部（２５）とし、このルーペ部（２５）が上記テンプル（１４、１４）に、着脱可能に設けられていることを特徴とする請求項１記載のパッド無しメガネ。
【請求項５】
上記レンズ部（１８）に着脱部（１５、１５）を設け、前方に補助テンプル（２４、２４）を延設し、この補助テンプル（２４、２４）の先端に２個の鏡（１１、１１）を結合させてサイドミラー部（２１、２１）とし、このサイドミラー部（２１、２１）を着脱可能に設けるか、又は上記補助テンプル（２４、２４）の後端に結合部（２３、２３）を取り付けてサイドミラー部（２６、２６）とし、この２個のサイドミラー部（２６、２６）を着脱可能に設けられていることを特徴とする請求項１記載のパッド無しメガネ。
【請求項６】
上記２本のテンプル（１４、１４）の間に、ヘッドバンド（２９）が頭の外側の形状に沿わせて掛け渡して取り付けられていることを特徴とする請求項１〜５の何れかに記載のサイドミラー。
【請求項７】
上記両Ｇ型モダン（１、１）の最後尾に保持体（７、７）に変えて固定体（４、４・・・）又は固定カバー（６、６）が設けられていることを特徴とする請求項１〜５の何れかに記載のパッド無しメガネ。
【請求項８】
上記Ｇ型モダン（１、１）の略中央に屈曲部（２７、２７）を設け、屈曲可能に成されていることを特徴とする請求項１〜５の何れかに記載のパッド無しメガネ。
【請求項９】
上記保持体（７、７）に、イヤホーン（２２、２２）又は補聴器（１６、１６）が着脱可能に設けられていることを特徴とする請求項１〜５の何れかに記載のパッド無しメガネ。
【請求項１０】
上記両Ｇ型モダン（１、１）の耳朶（３）近傍に装飾品（２８）が取り付けられていることを特徴とする請求項１〜５の何れかに記載のパッド無しメガネ。
【発明の詳細な説明】
【技術分野】
【０００１】
本発明は、パッドを省略したメガネに関する。
【背景技術】
【０００２】
従来、メガネはレンズ、ブリッジ、ヨロイ、テンプルを、パッドとモダンで支えて掛けている。メガネは左右のレンズの間にパッドが取り付けられていて、パッドは鼻の側面に当てるようにしてメガネのレンズを固定している。メガネのレンズはテンプルによってモダンに連結されていて、このモダンは耳殻の外側の形状に沿って掛けられている。
【先行技術文献】
【特許文献】
【０００３】
【特許文献１】特開２００７−４１４６０
【特許文献２】特開２００６−１３３７２８
【特許文献３】特開平８−２１１３３８
【０００４】
特許文献１は、長いストレートテンプルと係止具を用いているので、メガネを掛けた時に邪魔になり、見た目が悪くメガネを十分固定することはできない。
【０００５】
特許文献２は、ぜんまいばねによって両方の耳の部位のみで支持されているので、ばねによる圧迫感があり、メガネは十分固定されていない。
【０００６】
特許文献３は、一方のメガネのつるに髪止め状の器具を取り付けているので、バランスが悪く傾き易い。
【発明の概要】
【発明が解決しようとする課題】
【０００７】
パッドの大きさ、形状は様々であり、レンズの横から見えているので、メガネのデザイン的には無い方が望ましい。またメガネを掛ける人にとっては、常に鼻の両側にパッドが触れているので、接している部分が変色して型が付き、重たく不快に感じる。パッドを省略した場合、鼻と耳との間には支持するところがない。メガネを固定する場所としてはモダンしかなく、モダンでメガネを支える方法が問題点となる。そこで本発明は、パッドを省略して、メガネをＧ型モダンで支えて、メガネを掛けるようにすることを課題としている。
【課題を解決するための手段】
【０００８】
一個又は二個のレンズ８、８がパッドを省略して形成されているレンズ部１８と、このレンズ部１８の両脇のヨロイ１２、１２とを介して、延長されているテンプル１４、１４の後に、Ｇ型モダン１、１が結合されているメガネであって、Ｇ型モダン１、１が耳殻の外側の形状に沿わせて延長されており、その終端部は耳朶３、３を避けるように前方に湾曲されており、このＧ型モダン１、１の終端部の最後尾には、耳穴２、２に固定するための保持体７、７が設けられている構造である。
【発明の効果】
【０００９】
本発明の効果として、メガネのパッドを省略することによって、メガネを掛けた人の外観は、耳朶３の前にＧ型モダン１の一部分が見えるだけである。髪の毛の多い人の場合は、このＧ型モダン１が髪の毛に隠れて見えないので、どこで止めているのか分からない。メガネのデザイン性、ファッション性が向上し、長期間メガネを掛けていても、パッドの当たる部分に型が付いたり、皮膚の色が変色したりすることが無い。またメガネを掛けた時、鼻の横に接するものが無く重さを感じる事が無いので、メガネの装着感が良い。ヨロイ５に拡大鏡部１９、ルーペ部２０を取り付けることができる。サイドミラー部２１、２６を取り付けることによって後方の安全確認ができる。
【図面の簡単な説明】
【００１０】
【図１】本発明１の実施の形態の一例を示す斜視図、説明図である。
【図２】本発明１の実施の形態の一例を示す説明図、ＡＡ線による断面図である。
【図３】本発明２の実施の形態の一例を示す斜視図である。
【図４】本発明３の実施の形態の一例を示す斜視図である。
【図５】本発明３の実施の形態の一例を示す斜視図である。
【図６】本発明４の実施の形態の一例を示す斜視図である。
【図７】本発明４の実施の形態の一例を示す斜視図である。
【図８】本発明５の実施の形態の一例を示す説明図である。
【図９】本発明６の実施の形態の一例を示す斜視図である。
【図１０】本発明７、８の実施の形態の一例を示す斜視図、説明図である。
【図１１】本発明５の実施の形態の一例を示す説明図である。
【図１２】本発明６の実施の形態の一例を示す斜視図である。
【図１３】本発明７、８の実施の形態の一例を示す斜視図、説明図である。
【発明を実施するための形態】
【００１１】
メガネの両Ｇ型モダン１、１が耳殻の外側の形状に沿わせて延長されており、その終端部は耳朶３、３を避けるように前方に湾曲されて、このＧ型モダン１、１の終端部の最後尾には、耳穴２、２に固定するための外耳道１７に嵌め込む形状又は耳穴２、２の中の窪み５、５の形状に合わせた保持体７、７を設け、この保持体７、７に固定体４、４又は固定カバー６、６が取り付けられている構造である。
【実施例１】
【００１２】
そこで、本発明の請求項１記載のパッド無しメガネ（以下、本発明１と言う）は、一個又は二個のレンズ８、８がパッドを省略して形成されているレンズ部１８と、このレンズ部１８の両脇のヨロイ１２、１２とを介して、延長されているテンプル１４、１４の後に、Ｇ型モダン１、１が結合されているメガネであって、上記Ｇ型モダン１、１が耳殻の外側の形状に沿わせて延長されており、その終端部は耳朶３、３を避けるように前方に湾曲されており、このＧ型モダン１、１の終端部の最後尾には、耳穴２、２に固定するための保持体７、７が設けられていることを特徴としている。
【００１３】
実施の形態の一例として、第１a図は本発明１の斜視図であり、二個のレンズ８、８がパッドを省略して形成されているレンズ部１８と、このレンズ部１８の両脇のヨロイ１２、１２とを介して、延長されているテンプル１４、１４の後に、Ｇ型モダン１、１を結合させ、メガネのＧ型モダン１、１を耳殻の外側の形状に沿わせて延長させ、その終端部は耳朶３、３を避けるように前方に湾曲させて、このＧ型モダン１、１の終端部の最後尾に、耳穴２、２に固定するための保持体７、７を設けていることを示している。
【００１４】
実施の形態の一例として、第１b図は第１a図の保持体７の部分拡大図である。保持体７は外耳道１７に嵌め込み易いようにイヤホーン状体の形状をしていて、音が聞こえるように貫通孔１３を設けている。このイヤホーン状体は外耳道１７内に入り過ぎないように外耳道１７より大きいストッパーを設けた形状であり、外耳道１７に嵌め込んで固定することができる。第１c図は別の形状の保持体７の拡大図であり、外耳道１７近傍の窪み５に嵌め込んで固定する部分にイヤホーン状体を取り付けた形状であり、外耳道１７を塞がないように貫通孔１３を設けている。
【００１５】
実施の形態の一例として、第１ｄ図は別の形状の保持体７の図であり、耳穴２の中の窪み５の形状に合わせ、外耳道１７を塞がないような形状で、窪み５に接して固定することができる。本発明１のＧ型モダン１を耳に固定した状態を示している。２個の保持体７を２箇所の外耳道１７に嵌め込んで固定し、２個のＧ型モダン１を耳殻に掛けることによってメガネを支えることができる。メガネのレンズは浮いた状態となりパッドを省略することができる。Ｇ型モダン１、保持体７の材質を皮膚への接触感の良い弾性体で製作することによって、簡単にメガネを掛けたり外したりすることができる。
【００１６】
実施の形態の一例として、第２a図は本発明１のＧ型モダン１の図であり、第２ｃ図は本発明１のＧ型モダン１を耳に掛けている状態を示している図であり、第２ｄ図は第２ｃ図のＡＡ線による断面図である。このＧ型モダン１は耳殻の外側の形状に沿わせて延長させ、終端部の最後尾に設けた保持体７の形状はイヤホーン状体である、この保持体７を外耳道１７に嵌めるようにして固定することができる。第２b図は別の保持体７の形状の図であり、耳殻の外側の形状に沿わせて延長させたＧ型モダン１、１の最後尾の保持体７、７は、耳穴６の中の窪み５に嵌め込むようにした形状であり、外耳道１７を塞がない形状であることを示している。
【００１７】
本発明で言う耳穴２とは、外耳道１７ではなく耳殻、耳朶３で囲われた凹んだ部分を指している。本発明の保持体７の形状は、耳穴２の中の窪み５の形状が人によって様々であり、窪み５の形状に合わせた保持し易い形状であれば良く、耳穴２に納まる大きさであれば保持体７の形状は限定しない。保持体７の材質はＧ型モダン１と同一であり、スポンジ、プラスチック、ゴム、金属、セラミックなどである。本発明１で言うメガネは、度付きメガネ、３Ｄ用メガネ、度の付いて無いメガネ、サングラス、風防メガネなどである。
【実施例２】
【００１８】
本発明の請求項２記載のパッド無しメガネ（以下、本発明２と言う）は、左右２本のテンプル１４、１４の先に設けたヨロイ５、５に、二個のレンズ８、８のブリッジを省略して取り付け、このテンプル１４、１４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられ、このＧ型モダン２、２が支持体３０によって結合されていることを特徴としている。
【００１９】
実施の形態の一例として、第３a図は本発明２の斜視図であり、左右２本のテンプル１４、１４の先に設けたヨロイ５、５に、二個のレンズ８、８のブリッジを省略して取り付け、このテンプル１４、１４の後にＧ型モダン２、２が耳殻の外側の形状に沿わせて延長させ、その終端部は耳朶３、３を避けるように前方に湾曲させ、このＧ型モダン２、２の終端部の最後尾には、耳穴６、６に固定するための保持体７、７が設けられ、このＧ型モダン２、２が支持体３０によって結合されていることを示している。
【００２０】
第３b図が示しているのは、メガネを外す時に、ヨロイ５、５に取り付けたレンズ８、８を前方に回転させて開くことによって、メガネを外すことができる。第６c図は支持体３０とＧ型モダン２、２を着脱可能にしてあり、分解して仕舞うことができることを示している。本発明２のＧ型モダン２に掛け渡して結合している支持体３０が頭の後に沿って接して止まっている。この支持体３０の形状は頭の後に沿っていれば良く、頭の上方に伸びる形状でも良い。
【実施例３】
【００２１】
本発明の請求項３記載のパッド無しメガネ（以下、本発明３と言う）は、上記レンズ部１８の代わりに、一個又は二個の拡大鏡９、９がパッドを省略して形成されている拡大鏡部１９で成されていることを特徴としている。
【００２２】
実施の形態の一例として、第４a図は本発明３の一個の拡大鏡９を取り付けたメガネの斜視図である。一個の横長の拡大鏡９がパッドを省略して形成されている拡大鏡部１９
と、この拡大鏡部１９の両脇のヨロイ１２、１２とを介して、延長されているテンプル１４、１４の後に、Ｇ型モダン１、１が結合されていることを示している。第４b図は二個の拡大鏡９、９がパッドを省略して形成されている拡大鏡部１９と、この拡大鏡部１９の両脇のヨロイ１２、１２とを介して、延長されているテンプル１４、１４の後にＧ型モダン１、１が結合されていることを示している。
【００２３】
かかる構成により、従来、手で持って使用していた拡大鏡９を、メガネの形状にした拡大鏡メガネとして、耳に掛けてものを見ることができる。パッドを省略することによって鼻の負担が無くなり、テンプル１４、１４を長くすることができるので、拡大鏡９の倍率に合わせて見易い長さにすることができる。
【実施例４】
【００２４】
本発明の請求項４記載のパッド無しメガネ（以下、本発明４と言う）は、上記レンズ部１８に着脱部１５、１５を設け、前方に補助テンプル２４、２４を真っ直ぐに延設し、この補助テンプル２４、２４の先端にルーペ１０を結合させてルーペ部２０とし、このルーペ部２０を着脱可能に設けるか、又は上記補助テンプル２４、２４の後端に結合部２３、２３を取り付けルーペ部２５とし、このルーペ部２５が上記テンプル１４、１４に、着脱可能に設けられていることを特徴としている。
【００２５】
実施の形態の一例として、第５a図は本発明４のルーペ部２０を取り付けたメガネの斜視図である。レンズ部１８の両脇のヨロイ１２、１２に着脱部１５を設け、前方に、補助テンプル２４、２４を延設し、その先端にルーペ１０が設けられていることを示している図である。第５ｂ図は第５a図の着脱部１５の部分拡大図であり、着脱可能にした補助テンプル２４、２４の後端を、レンズ部１８の両脇のヨロイ１２、１２に設けた着脱部１５に差し込んだ状態を示している。第５ｃ図は本発明４の補助テンプル２４、２４の後端を、テンプル１４、１４の先端部近傍に設けた着脱部１５に差し込んだ状態を示している。着脱部１５の形状は、貫通孔を設けた形状、挟んで固定する形状、噛み合わせて固定する方法など限定しない。
【００２６】
実施の形態の一例として、第６a図は本発明４のルーペ部２５を取り付けたメガネの斜視図であり、ルーペ部２５の補助テンプル２４、２４の後端に取り付けた結合部２３、２３を、テンプル１４、１４に嵌め込んだことを示している。第６ｂ図はルーペ部２５を示している。第６ｃ図は第６ｂ図の結合部２３、２３の部分拡大図であり、各々二個の結合部２３、２３でテンプル１４、１４を挟んでルーペ部２５を固定することができる。
【００２７】
かかる構成により、従来、手で持って使用していたルーペ１０を、本発明１のメガネのヨロイ１２に設けた着脱部１５に、ルーペ部２５を差し込んでルーペメガネとして、耳に掛けてものを見ることができる。またルーペ部２５の交換を簡単にすることができる。レンズ部１８に取り付けた着脱部１５の位置は、レンズフレーム、レンズ、レンズの周縁、ヨロイ１２、１２近傍、テンプル１４、１４の先端部など限定しない。
【００２８】
補助テンプル２４、２４の長さを調整可能にすることもできる。ルーペ１０の倍率に合わせて見やすい長さにすることができる。そしてルーペ部２５の交換を容易にすることができる。
【実施例５】
【００２９】
本発明の請求項５記載のパッド無しメガネ（以下、本発明５と言う）は、上記レンズ部１８に着脱部１５、１５を設け、前方に補助テンプル２４、２４を延設し、この補助テンプル２４、２４の先端に２個の鏡１１、１１を結合させてサイドミラー部２１、２１とし、このサイドミラー部２１、２１を着脱可能に設けるか、又は上記補助テンプル２４、２４の後端に結合部２３、２３を取り付けてサイドミラー部２６、２６とし、この２個のサイドミラー部２６、２６を着脱可能に設けられていることを特徴としている。
【００３０】
実施の形態の一例として、第７a図は本発明５のメガネの両側端に二個のサイドミラー部２１、２１を取り付けた斜視図であり、第７ｂ図は第７a図の着脱部１５の部分拡大図である。着脱可能にしたサイドミラー部２１、２１の補助テンプルの後端を、レンズ部１８の両脇のヨロイ１２、１２に設けた着脱部１５、１５に差し込んだ状態を示している。第７ｃ図は本発明４のサイドミラー部２１、２１の後端を、テンプル１４、１４に取り付けた着脱部１５、１５に差し込んだ状態を示している部分拡大図である。
【００３１】
かかる構成により、２個の鏡１１、１１が顔の前方両側の位置に成るように２個のサイドミラー部２１、２１を取り付け、目を動かして一方の鏡１１を見ることによって、肩越しに後方の安全確認をすることができる。補助テンプル２４を前方に延設する方向は、鏡１１を横切らない方向であれば良く、補助テンプル２４の先端の取り付ける鏡１１の位置は限定しない。補助テンプル２４の先端に鏡１１を回動可能に取り付けることによって、後方を見る角度を調整することができる。
【００３２】
レンズ部１８に取り付けた着脱部１５、１５を設ける位置は、レンズフレーム、レンズ８、８、ヨロイ１２、１２近傍、テンプル１４、１４の先端部など限定しない。
【００３３】
実施の形態の一例として、第８a図は本発明５のサイドミラー部２６を取り付けたメガネの斜視図であり、サイドミラー部２６、２６の補助テンプル２４、２４の後端に取り付けた結合部２３、２３・・を、テンプル１４、１４に嵌め込んだことを示している。第８ｂ図はサイドミラー部２６を示している。第８ｃ図は第７ｂ図の結合部２３、２３の部分拡大図であり、各々２個の結合部２３、２３でテンプル１４を挟んでサイドミラー部２６を固定することができる。第８d図は左右の鏡１１、１１を連結させてサイドミラー部２６とし、テンプル１４、１４に取り付けている斜視図である。かかる構成により、鏡１１、１１は固定されサイドミラー部２６を容易に着脱することができる。
【実施例６】
【００３４】
本発明の請求項６記載のパッド無しメガネ（以下、本発明６と言う）は、上記２本のテンプル１４、１４の間に、ヘッドバンド２９が頭の外側の形状に沿わせて掛け渡して取り付けられていることを特徴としている。
【００３５】
実施の形態の一例として、第９a図は本発明１のメガネにヘッドバンド２９を取り付けた斜視図であり、第９ｂ図は本発明２の拡大鏡９にヘッドバンド２９を取り付けた斜視図であり、第９ｃ図は本発明５のサイドミラーを取り付けたメガネにヘッドバンド２９を取り付けた斜視図である。長時間メガネを使用する時に、保持体７の負担を分散するために補助的にヘッドバンド２９を使用することができる。ヘッドバンド２９の材質は、ゴム、プラスチック、織り布、紐などである。
【実施例７】
【００３６】
本発明の請求項７記載のパッド無しメガネ（以下、本発明７と言う）は、上記両Ｇ型モダン１、１の最後尾に保持体７、７に変えて固定体４、４・・・又は固定カバー６、６が設けられていることを特徴としている。
【００３７】
実施の形態の一例として、第１０a図は本発明７の固定体４の側面図である。本発明１のＧ型モダン１の最後尾に設けた保持体７に、耳穴２の中の窪み５に収まる大きさの固定体４を、外耳道１７を塞がないように貫通孔１３を設けて取り付けたことを示している。第１０ｂ図は本発明７の固定体４を取り付けたＧ型モダン１を耳に掛けた状態を示している。
【００３８】
実施の形態の一例として、第１０ｃ図は本発明１のＧ型モダン１の最後尾に設けた保持体７に、耳殻を覆う固定カバー６を、外耳道１７を塞がないように貫通孔１３設けて取り付けたことを示している。第１０ｄ図は本発明７の固定カバー６を取り付けたＧ型モダン１を耳に掛けた状態を示している。
【００３９】
かかる構成により、本発明７は、人によって耳穴２の形状が異なっているので、固定体４の形状を耳穴２や窪み５の形状に合わせた形状にすることによって、Ｇ型モダン１の固定の補助をすることができる。また固定カバー６においても同様に、人の耳殻、耳穴２の形状に合わせることによって、メガネに大きな形のレンズ８、拡大鏡１９、ルーペ１０、鏡１１などの固定の補助をすることができる。
【実施例８】
【００４０】
本発明の請求項８記載のパッド無しメガネ（以下、本発明８と言う）は、上記Ｇ型モダン１、１に屈曲部２７、２７を設け、屈曲可能に成されていることを特徴としている。
【００４１】
実施の形態の一例として、第１１a図は本発明８の斜視図であり、第１１ｂ図は屈曲部２７を内側に回転させて折り曲げた状態を示す図であり、  第１１ｃ図は第１１ｂ図の屈曲部２７の部分拡大図である。本発明１のメガネを外した後に、略中央部に設けた屈曲部２７によって、Ｇ型モダン１の下方部分を内側に回転させて折り曲げてコンパクトにすることができる。
【実施例９】
【００４２】
本発明の請求項９記載のパッド無しメガネ（以下、本発明９と言う）は、上記保持体７、７に、イヤホーン２２、２２又は補聴器１６、１６が着脱可能に設けられていることを特徴としている。
【００４３】
実施の形態の一例として、第１２a図は本発明９の保持体７の斜視図であり、補聴器１６を嵌め込むために保持体７がリング状体と成っていることを示している。第１２ｂ図はリング状体に補聴器１６を嵌め込んだ図である。第１２ｃ図は本発明１の保持体７に補聴器１６を嵌め込んだ図である。第１２ｄ図は本発明１の保持体７にイヤホーン２２を取り付け、固定カバー６を取り付けたことを示している。
【００４４】
かかる構成により、補聴器１６、イヤホーン２２を取り付けることによって、保持体７の代わりをすることができる。
【実施例１０】
【００４５】
本発明の請求項１０記載のパッド無しメガネ（以下、本発明１０と言う）は、上記両Ｇ型モダン１、１の耳朶３近傍に装飾品２８が取り付けられていることを特徴としている。
【００４６】
実施の形態の一例として、第１３a図、第１３b図は本発明１のＧ型モダン１の耳朶３近傍に装飾品２８を取り付けた図であり、この装飾品２８によってＧ型モダン１の外観から見える部分を隠すことができる。また、ピアスの代わりに装飾品２８を取り付けてお洒落を楽しむことができる。
【産業上の利用可能性】
【００４７】
以上のように、メガネのパッドを省略することによって、メガネのファッション性が向上し、メガネを掛けた時は本発明のＧ型モダン１の一部分が耳朶３近傍に見えるだけであり、髪の毛の多い人の場合は見えない。長期間メガネを掛けても、鼻の横に形が付いたり、皮膚の色が変色したりすることが無く、鼻に重さを感じる事が無く、実装感の良いメガネである。拡大鏡部１９、ルーペ部２０、サイドミラー部２１、２６、イヤホーン２２、補聴器１６、装飾品２８など取り付け、便利に楽しく使用することができるメガネとして適している
【符号の説明】
【００４８】
１    Ｇ型モダン
２    耳穴
３    耳朶
４    固定体
５    窪み        
６    固定カバー
７    保持体
８    レンズ
９    拡大鏡
１０    ルーペ
１１    鏡
１２    ヨロイ
１３    貫通孔
１４    テンプル
１５    着脱部
１６    補聴器
１７    外耳道
１８    レンズ部
１９    拡大鏡部
２０    ルーペ部
２１    サイドミラー部
２２    イヤホーン
２３    結合部
２４    補助テンプル
２５    ルーペ部
２６    サイドミラー部
２７    屈曲部
２８    装飾品
２９    ヘッドバンド
３０    支持体
【図１】
2010176044.tif 000003
【図２】
2010176044.tif 000004
【図３】
2010176044.tif 000005
【図４】
2010176044.tif 000006
【図５】
2010176044.tif 000007
【図６】
2010176044.tif 000008
【図７】
2010176044.tif 000009
【図８】
2010176044.tif 000010
【図９】
2010176044.tif 000011
【図１０】
2010176044.tif 000012
【図１１】
2010176044.tif 000013
【図１２】
2010176044.tif 000014
【図１３】
2010176044.tif 000015
【手続補正書】
【提出日】平成21年4月3日(2009.4.3)
【手続補正１】
【補正対象書類名】明細書
【補正対象項目名】全文
【補正方法】変更
【補正の内容】
【発明の詳細な説明】
【技術分野】
【０００１】
本発明は、パッドを省略したメガネに関する。
【背景技術】
【０００２】
従来、メガネはレンズ、ブリッジ、ヨロイ、テンプルを、パッドとモダンで支えて掛けている。メガネは左右のレンズの間にパッドが取り付けられていて、パッドは鼻の側面に当てるようにしてメガネのレンズを固定している。メガネのレンズはテンプルによってモダンに連結されていて、このモダンは耳殻の外側の形状に沿って掛けられている。
【先行技術文献】
【特許文献】
【０００３】
【特許文献１】特開２００７−４１４６０
【特許文献２】特開２００６−１３３７２８
【特許文献３】特開平８−２１１３３８
【０００４】
特許文献１は、長いストレートテンプルと係止具を用いているので、メガネを掛けた時に邪魔になり、見た目が悪くメガネを十分固定することはできない。
【０００５】
特許文献２は、ぜんまいばねによって両方の耳の部位のみで支持されているので、ばねによる圧迫感があり、メガネは十分固定されていない。
【０００６】
特許文献３は、一方のメガネのつるに髪止め状の器具を取り付けているので、バランスが悪く傾き易い。
【発明の概要】
【発明が解決しようとする課題】
【０００７】
パッドの大きさ、形状は様々であり、レンズの横から見えているので、メガネのデザイン的には無い方が望ましい。またメガネを掛ける人にとっては、常に鼻の両側にパッドが触れているので、接している部分が変色して型が付き、重たく不快に感じる。パッドを省略した場合、鼻と耳との間には支持するところがない。メガネを固定する場所としてはモダンしかなく、モダンでメガネを支える方法が問題点となる。そこで本発明は、パッドを省略して、メガネをＧ型モダンで支えて、メガネを掛けるようにすることを課題としている。
【課題を解決するための手段】
【０００８】
一個又は二個のレンズ８、８がパッドを省略して形成されているレンズ部１８と、このレンズ部１８の両脇のヨロイ１２、１２とを介して、延長されているテンプル１４、１４の後に、Ｇ型モダン１、１が結合されているメガネであって、Ｇ型モダン１、１が耳殻の外側の形状に沿わせて延長されており、その終端部は耳朶３、３を避けるように前方に湾曲されており、このＧ型モダン１、１の終端部の最後尾には、耳穴２、２に固定するための保持体７、７が設けられている構造である。
【発明の効果】
【０００９】
本発明の効果として、メガネのパッドを省略することによって、メガネを掛けた人の外観は、耳朶３の前にＧ型モダン１の一部分が見えるだけである。髪の毛の多い人の場合は、このＧ型モダン１が髪の毛に隠れて見えないので、どこで止めているのか分からない。メガネのデザイン性、ファッション性が向上し、長期間メガネを掛けていても、パッドの当たる部分に型が付いたり、皮膚の色が変色したりすることが無い。またメガネを掛けた時、鼻の横に接するものが無く重さを感じる事が無いので、メガネの装着感が良い。ヨロイ５に拡大鏡部１９、ルーペ部２０を取り付けることができる。サイドミラー部２１、２６を取り付けることによって後方の安全確認ができる。
【図面の簡単な説明】
【００１０】
【図１】本発明１の実施の形態の一例を示す斜視図、説明図である。
【図２】本発明１の実施の形態の一例を示す説明図、ＡＡ線による断面図である。
【図３】本発明２の実施の形態の一例を示す斜視図である。
【図４】本発明３の実施の形態の一例を示す斜視図である。
【図５】本発明３の実施の形態の一例を示す斜視図である。
【図６】本発明４の実施の形態の一例を示す斜視図である。
【図７】本発明４の実施の形態の一例を示す斜視図である。
【図８】本発明５の実施の形態の一例を示す説明図である。
【図９】本発明６の実施の形態の一例を示す斜視図である。
【図１０】本発明７の実施の形態の一例を示す説明図である。
【図１１】本発明８の実施の形態の一例を示す説明図である。
【図１２】本発明９の実施の形態の一例を示す斜視図である。
【発明を実施するための形態】
【００１１】
メガネの両Ｇ型モダン１、１が耳殻の外側の形状に沿わせて延長されており、その終端部は耳朶３、３を避けるように前方に湾曲されて、このＧ型モダン１、１の終端部の最後尾には、耳穴２、２に固定するための外耳道１７に嵌め込む形状又は耳穴２、２の中の窪み５、５の形状に合わせた保持体７、７を設け、この保持体７、７に固定体４、４又は固定カバー６、６が取り付けられている構造である。
【実施例１】
【００１２】
そこで、本発明の請求項１記載のパッド無しメガネ（以下、本発明１と言う）は、一個又は二個のレンズ８、８がパッドを省略して形成されているレンズ部１８と、このレンズ部１８の両脇のヨロイ１２、１２とを介して、延長されているテンプル１４、１４の後に、Ｇ型モダン１、１が結合されているメガネであって、上記Ｇ型モダン１、１が耳殻の外側の形状に沿わせて延長されており、その終端部は耳朶３、３を避けるように前方に湾曲されており、このＧ型モダン１、１の終端部の最後尾には、耳穴２、２に固定するための保持体７、７が設けられていることを特徴としている。
【００１３】
実施の形態の一例として、第１a図は本発明１の斜視図であり、二個のレンズ８、８がパッドを省略して形成されているレンズ部１８と、このレンズ部１８の両脇のヨロイ１２、１２とを介して、延長されているテンプル１４、１４の後に、Ｇ型モダン１、１を結合させ、メガネのＧ型モダン１、１を耳殻の外側の形状に沿わせて延長させ、その終端部は耳朶３、３を避けるように前方に湾曲させて、このＧ型モダン１、１の終端部の最後尾に、耳穴２、２に固定するための保持体７、７を設けていることを示している。
【００１４】
実施の形態の一例として、第１b図は第１a図の保持体７の部分拡大図である。保持体７は外耳道１７に嵌め込み易いようにイヤホーン状体の形状をしていて、音が聞こえるように貫通孔１３を設けている。このイヤホーン状体は外耳道１７内に入り過ぎないように外耳道１７より大きいストッパーを設けた形状であり、外耳道１７に嵌め込んで固定することができる。第１c図は別の形状の保持体７の拡大図であり、外耳道１７近傍の窪み５に嵌め込んで固定する部分にイヤホーン状体を取り付けた形状であり、外耳道１７を塞がないように貫通孔１３を設けている。
【００１５】
実施の形態の一例として、第１ｄ図は別の形状の保持体７の図であり、耳穴２の中の窪み５の形状に合わせ、外耳道１７を塞がないような形状で、窪み５に接して固定することができる。本発明１のＧ型モダン１を耳に固定した状態を示している。２個の保持体７を２箇所の外耳道１７に嵌め込んで固定し、２個のＧ型モダン１を耳殻に掛けることによってメガネを支えることができる。メガネのレンズは浮いた状態となりパッドを省略することができる。Ｇ型モダン１、保持体７の材質を皮膚への接触感の良い弾性体で製作することによって、簡単にメガネを掛けたり外したりすることができる。
【００１６】
実施の形態の一例として、第２a図は本発明１のＧ型モダン１の図であり、第２ｃ図は本発明１のＧ型モダン１を耳に掛けている状態を示している図であり、第２ｄ図は第２ｃ図のＡＡ線による断面図である。このＧ型モダン１は耳殻の外側の形状に沿わせて延長させ、終端部の最後尾に設けた保持体７の形状はイヤホーン状体である、この保持体７を外耳道１７に嵌めるようにして固定することができる。第２b図は別の保持体７の形状の図であり、耳殻の外側の形状に沿わせて延長させたＧ型モダン１、１の最後尾の保持体７、７は、耳穴６の中の窪み５に嵌め込むようにした形状であり、外耳道１７を塞がない形状であることを示している。
【００１７】
本発明で言う耳穴２とは、外耳道１７ではなく耳殻、耳朶３で囲われた凹んだ部分を指している。本発明の保持体７の形状は、耳穴２の中の窪み５の形状が人によって様々であり、窪み５の形状に合わせた保持し易い形状であれば良く、耳穴２に納まる大きさであれば保持体７の形状は限定しない。保持体７の材質はＧ型モダン１と同一であり、スポンジ、プラスチック、ゴム、金属、セラミックなどである。本発明１で言うメガネは、度付きメガネ、３Ｄ用メガネ、度の付いて無いメガネ、サングラス、風防メガネなどである。
【実施例２】
【００１８】
本発明の請求項２記載のパッド無しメガネ（以下、本発明２と言う）は、左右２本のテンプル１４、１４の先に設けたヨロイ５、５に、二個のレンズ８、８のブリッジを省略して取り付け、このテンプル１４、１４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられ、このＧ型モダン２、２が支持体３０によって結合されていることを特徴としている。
【００１９】
実施の形態の一例として、第３a図は本発明２の斜視図であり、左右２本のテンプル１４、１４の先に設けたヨロイ５、５に、二個のレンズ８、８のブリッジを省略して取り付け、このテンプル１４、１４の後にＧ型モダン２、２が耳殻の外側の形状に沿わせて延長させ、その終端部は耳朶３、３を避けるように前方に湾曲させ、このＧ型モダン２、２の終端部の最後尾には、耳穴６、６に固定するための保持体７、７が設けられ、このＧ型モダン２、２が支持体３０によって結合されていることを示している。
【００２０】
第３b図が示しているのは、メガネを外す時に、ヨロイ５、５に取り付けたレンズ８、８を前方に回転させて開くことによって、メガネを外すことができる。第６c図は支持体３０とＧ型モダン２、２を着脱可能にしてあり、分解して仕舞うことができることを示している。本発明２のＧ型モダン２に掛け渡して結合している支持体３０が頭の後に沿って接して止まっている。この支持体３０の形状は頭の後に沿っていれば良く、頭の上方に伸びる形状でも良い。
【実施例３】
【００２１】
本発明の請求項３記載のパッド無しメガネ（以下、本発明３と言う）は、上記レンズ部１８の代わりに、一個又は二個の拡大鏡９、９がパッドを省略して形成されている拡大鏡部１９で成されていることを特徴としている。
【００２２】
実施の形態の一例として、第４a図は本発明３の一個の拡大鏡９を取り付けたメガネの斜視図である。一個の横長の拡大鏡９がパッドを省略して形成されている拡大鏡部１９
と、この拡大鏡部１９の両脇のヨロイ１２、１２とを介して、延長されているテンプル１４、１４の後に、Ｇ型モダン１、１が結合されていることを示している。第４b図は二個の拡大鏡９、９がパッドを省略して形成されている拡大鏡部１９と、この拡大鏡部１９の両脇のヨロイ１２、１２とを介して、延長されているテンプル１４、１４の後にＧ型モダン１、１が結合されていることを示している。
【００２３】
かかる構成により、従来、手で持って使用していた拡大鏡９を、メガネの形状にした拡大鏡メガネとして、耳に掛けてものを見ることができる。パッドを省略することによって鼻の負担が無くなり、テンプル１４、１４を長くすることができるので、拡大鏡９の倍率に合わせて見易い長さにすることができる。
【実施例４】
【００２４】
本発明の請求項４記載のパッド無しメガネ（以下、本発明４と言う）は、上記レンズ部１８に着脱部１５、１５を設け、前方に補助テンプル２４、２４を真っ直ぐに延設し、この補助テンプル２４、２４の先端にルーペ１０を結合させてルーペ部２０とし、このルーペ部２０を着脱可能に設けるか、又は上記補助テンプル２４、２４の後端に結合部２３、２３を取り付けルーペ部２５とし、このルーペ部２５が上記テンプル１４、１４に、着脱可能に設けられていることを特徴としている。
【００２５】
実施の形態の一例として、第５a図は本発明４のルーペ部２０を取り付けたメガネの斜視図である。レンズ部１８の両脇のヨロイ１２、１２に着脱部１５を設け、前方に、補助テンプル２４、２４を延設し、その先端にルーペ１０が設けられていることを示している図である。第５ｂ図は第５a図の着脱部１５の部分拡大図であり、着脱可能にした補助テンプル２４、２４の後端を、レンズ部１８の両脇のヨロイ１２、１２に設けた着脱部１５に差し込んだ状態を示している。第５ｃ図は本発明４の補助テンプル２４、２４の後端を、テンプル１４、１４の先端部近傍に設けた着脱部１５に差し込んだ状態を示している。着脱部１５の形状は、貫通孔を設けた形状、挟んで固定する形状、噛み合わせて固定する方法など限定しない。
【００２６】
実施の形態の一例として、第６a図は本発明４のルーペ部２５を取り付けたメガネの斜視図であり、ルーペ部２５の補助テンプル２４、２４の後端に取り付けた結合部２３、２３を、テンプル１４、１４に嵌め込んだことを示している。第６ｂ図はルーペ部２５を示している。第６ｃ図は第６ｂ図の結合部２３、２３の部分拡大図であり、各々二個の結合部２３、２３でテンプル１４、１４を挟んでルーペ部２５を固定することができる。
【００２７】
かかる構成により、従来、手で持って使用していたルーペ１０を、本発明１のメガネのヨロイ１２に設けた着脱部１５に、ルーペ部２５を差し込んでルーペメガネとして、耳に掛けてものを見ることができる。またルーペ部２５の交換を簡単にすることができる。レンズ部１８に取り付けた着脱部１５の位置は、レンズフレーム、レンズ、レンズの周縁、ヨロイ１２、１２近傍、テンプル１４、１４の先端部など限定しない。
【００２８】
補助テンプル２４、２４の長さを調整可能にすることもできる。ルーペ１０の倍率に合わせて見やすい長さにすることができる。そしてルーペ部２５の交換を容易にすることができる。
【実施例５】
【００２９】
本発明の請求項５記載のパッド無しメガネ（以下、本発明５と言う）は、上記レンズ部１８に着脱部１５、１５を設け、前方に補助テンプル２４、２４を延設し、この補助テンプル２４、２４の先端に２個の鏡１１、１１を結合させてサイドミラー部２１、２１とし、このサイドミラー部２１、２１を着脱可能に設けるか、又は上記補助テンプル２４、２４の後端に結合部２３、２３を取り付けてサイドミラー部２６、２６とし、この２個のサイドミラー部２６、２６を着脱可能に設けられていることを特徴としている。
【００３０】
実施の形態の一例として、第７a図は本発明５のメガネの両側端に二個のサイドミラー部２１、２１を取り付けた斜視図であり、第７ｂ図は第７a図の着脱部１５の部分拡大図である。着脱可能にしたサイドミラー部２１、２１の補助テンプルの後端を、レンズ部１８の両脇のヨロイ１２、１２に設けた着脱部１５、１５に差し込んだ状態を示している。第７ｃ図は本発明４のサイドミラー部２１、２１の後端を、テンプル１４、１４に取り付けた着脱部１５、１５に差し込んだ状態を示している部分拡大図である。
【００３１】
かかる構成により、２個の鏡１１、１１が顔の前方両側の位置に成るように２個のサイドミラー部２１、２１を取り付け、目を動かして一方の鏡１１を見ることによって、肩越しに後方の安全確認をすることができる。補助テンプル２４を前方に延設する方向は、鏡１１を横切らない方向であれば良く、補助テンプル２４の先端の取り付ける鏡１１の位置は限定しない。補助テンプル２４の先端に鏡１１を回動可能に取り付けることによって、後方を見る角度を調整することができる。
【００３２】
レンズ部１８に取り付けた着脱部１５、１５を設ける位置は、レンズフレーム、レンズ８、８、ヨロイ１２、１２近傍、テンプル１４、１４の先端部など限定しない。
【００３３】
実施の形態の一例として、第８a図は本発明５のサイドミラー部２６を取り付けたメガネの斜視図であり、サイドミラー部２６、２６の補助テンプル２４、２４の後端に取り付けた結合部２３、２３・・を、テンプル１４、１４に嵌め込んだことを示している。第８ｂ図はサイドミラー部２６を示している。第８ｃ図は第７ｂ図の結合部２３、２３の部分拡大図であり、各々２個の結合部２３、２３でテンプル１４を挟んでサイドミラー部２６を固定することができる。第８d図は左右の鏡１１、１１を連結させてサイドミラー部２６とし、テンプル１４、１４に取り付けている斜視図である。かかる構成により、鏡１１、１１は固定されサイドミラー部２６を容易に着脱することができる。
【実施例６】
【００３４】
本発明の請求項６記載のパッド無しメガネ（以下、本発明６と言う）は、上記２本のテンプル１４、１４の間に、ヘッドバンド２９が頭の外側の形状に沿わせて掛け渡して取り付けられていることを特徴としている。
【００３５】
実施の形態の一例として、第９a図は本発明１のメガネにヘッドバンド２９を取り付けた斜視図であり、第９ｂ図は本発明２の拡大鏡９にヘッドバンド２９を取り付けた斜視図であり、第９ｃ図は本発明５のサイドミラーを取り付けたメガネにヘッドバンド２９を取り付けた斜視図である。長時間メガネを使用する時に、保持体７の負担を分散するために補助的にヘッドバンド２９を使用することができる。ヘッドバンド２９の材質は、ゴム、プラスチック、織り布、紐などである。
【実施例７】
【００３６】
本発明の請求項７記載のパッド無しメガネ（以下、本発明７と言う）は、上記両Ｇ型モダン１、１の最後尾に保持体７、７に変えて、保持体７、７の形状より大きく、外耳道１７ではなく耳殻、耳朶３で囲われた窪んだ部分の中の複数の窪み５、５・・・に収まる形状の固定体４、４・・・又は固定カバー６、６が設けられていることを特徴としている。
【００３７】
実施の形態の一例として、第１０a図は本発明７の固定体４の側面図である。本発明１のＧ型モダン１の最後尾に設けた保持体７に変えて、保持体７、７の形状より大きく、外耳道１７ではなく耳殻、耳朶３で囲われた窪んだ部分の複数の窪み５、５・・・に収まる大きさの固定体４を、外耳道１７を塞がないように貫通孔１３を設けて取り付けたことを示している。第１０ｂ図は本発明７の固定体４を取り付けたＧ型モダン１を耳に掛けた状態を示している。
【００３８】
実施の形態の一例として、第１０ｃ図は本発明１のＧ型モダン１の最後尾に設けた保持体７に、耳殻を覆う固定カバー６を、外耳道１７を塞がないように貫通孔１３設けて取り付けたことを示している。第１０ｄ図は本発明７の固定カバー６を取り付けたＧ型モダン１を耳に掛けた状態を示している。
【００３９】
かかる構成により、本発明７は、人によって耳穴２の形状が異なっているので、固定体４の形状を耳穴２や窪み５の形状に合わせた形状にすることによって、Ｇ型モダン１の固定の補助をすることができる。また固定カバー６においても同様に、人の耳殻、耳穴２の形状に合わせることによって、メガネに大きな形のレンズ８、拡大鏡１９、ルーペ１０、鏡１１などの固定の補助をすることができる。
【実施例８】
【００４０】
本発明の請求項８記載のパッド無しメガネ（以下、本発明８と言う）は、上記Ｇ型モダン１、１に屈曲部２７、２７を設け、屈曲可能に成されていることを特徴としている。
【００４１】
実施の形態の一例として、第１１a図は本発明８の斜視図であり、第１１ｂ図は屈曲部２７を内側に回転させて折り曲げた状態を示す図であり、  第１１ｃ図は第１１ｂ図の屈曲部２７の部分拡大図である。本発明１のメガネを外した後に、略中央部に設けた屈曲部２７によって、Ｇ型モダン１の下方部分を内側に回転させて折り曲げてコンパクトにすることができる。
【実施例９】
【００４２】
本発明の請求項９記載のパッド無しメガネ（以下、本発明９と言う）は、上記保持体７、７に、イヤホーン２２、２２又は補聴器１６、１６が着脱可能に設けられていることを特徴としている。
【００４３】
実施の形態の一例として、第１２a図は本発明９の保持体７の斜視図であり、補聴器１６を嵌め込むために保持体７がリング状体と成っていることを示している。第１２ｂ図はリング状体に補聴器１６を嵌め込んだ図である。第１２ｃ図は本発明１の保持体７に補聴器１６を嵌め込んだ図である。第１２ｄ図は本発明１の保持体７にイヤホーン２２を取り付け、固定カバー６を取り付けたことを示している。
【００４４】
かかる構成により、補聴器１６、イヤホーン２２を取り付けることによって、保持体７の代わりをすることができる。
【産業上の利用可能性】
【００４５】
以上のように、メガネのパッドを省略することによって、メガネのファッション性が向上し、メガネを掛けた時は本発明のＧ型モダン１の一部分が耳朶３近傍に見えるだけであり、髪の毛の多い人の場合は見えない。長期間メガネを掛けても、鼻の横に形が付いたり、皮膚の色が変色したりすることが無く、鼻に重さを感じる事が無く、実装感の良いメガネである。拡大鏡部１９、ルーペ部２０、サイドミラー部２１、２６、イヤホーン２２、補聴器１６、装飾品２８など取り付け、便利に楽しく使用することができるメガネとして適している
【符号の説明】
【００４６】
１    Ｇ型モダン
２    耳穴
３    耳朶
４    固定体
５    窪み        
６    固定カバー
７    保持体
８    レンズ
９    拡大鏡
１０    ルーペ
１１    鏡
１２    ヨロイ
１３    貫通孔
１４    テンプル
１５    着脱部
１６    補聴器
１７    外耳道
１８    レンズ部
１９    拡大鏡部
２０    ルーペ部
２１    サイドミラー部
２２    イヤホーン
２３    結合部
２４    補助テンプル
２５    ルーペ部
２６    サイドミラー部
２７    屈曲部
２９    ヘッドバンド
３０    支持体
【手続補正２】
【補正対象書類名】特許請求の範囲
【補正対象項目名】全文
【補正方法】変更
【補正の内容】
【特許請求の範囲】
【請求項１】
一個又は二個のレンズ（８、８）がパッドを省略して形成されているレンズ部（１８）と、このレンズ部（１８）の両脇のヨロイ（１２、１２）とを介して、延長されているテンプル（１４、１４）の後に、Ｇ型モダン（１、１）が結合されているメガネであって、上記Ｇ型モダン（１、１）が耳殻の外側の形状に沿わせて延長されており、その終端部は耳朶（３、３）を避けるように前方に湾曲されており、このＧ型モダン（１、１）の終端部の最後尾には、耳穴（２、２）に固定するための保持体（７、７）が設けられていることを特徴とするパッド無しメガネ。
【請求項２】
左右２本のテンプル（１４、１４）の先に設けたヨロイ（５、５）に、二個のレンズ（８、８）のブリッジを省略して取り付け、このテンプル（１４、１４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられ、このＧ型モダン（２、２）が支持体（３０）によって結合されていることを特徴とするパッド無しメガネ。
【請求項３】
上記レンズ部（１８）の代わりに、一個又は二個の拡大鏡（９、９）がパッドを省略して形成されている拡大鏡部（１９）で成されていることを特徴とする請求項１記載のパッド無しメガネ。
【請求項４】
上記レンズ部（１８）に着脱部（１５、１５）を設け、前方に補助テンプル（２４、２４）を延設し、この補助テンプル（２４、２４）の先端にルーペ（１０）を結合させてルーペ部（２０）とし、このルーペ部（２０）を着脱可能に設けるか、又は上記補助テンプル（２４、２４）の後端に結合部（２３、２３）を取り付けルーペ部（２５）とし、このルーペ部（２５）が上記テンプル（１４、１４）に、着脱可能に設けられていることを特徴とする請求項１記載のパッド無しメガネ。
【請求項５】
上記レンズ部（１８）に着脱部（１５、１５）を設け、前方に補助テンプル（２４、２４）を延設し、この補助テンプル（２４、２４）の先端に２個の鏡（１１、１１）を結合させてサイドミラー部（２１、２１）とし、このサイドミラー部（２１、２１）を着脱可能に設けるか、又は上記補助テンプル（２４、２４）の後端に結合部（２３、２３）を取り付けてサイドミラー部（２６、２６）とし、この２個のサイドミラー部（２６、２６）を着脱可能に設けられていることを特徴とする請求項１記載のパッド無しメガネ。
【請求項６】
上記２本のテンプル（１４、１４）の間に、ヘッドバンド（２９）が頭の外側の形状に沿わせて掛け渡して取り付けられていることを特徴とする請求項１〜５の何れかに記載のサイドミラー。
【請求項７】
上記両Ｇ型モダン（１、１）の最後尾に保持体（７、７）に変えて、保持体（７、７）の形状より大きく、外耳道１７ではなく耳殻、耳朶３で囲われた窪んだ部分の中の複数の窪み（５、５・・・）に収まる形状の固定体（４、４・・・）又は固定カバー（６、６）が設けられていることを特徴とする請求項１〜５の何れかに記載のパッド無しメガネ。
【請求項８】
上記Ｇ型モダン（１、１）の略中央に屈曲部（２７、２７）を設け、屈曲可能に成されていることを特徴とする請求項１〜５の何れかに記載のパッド無しメガネ。
【請求項９】
上記保持体（７、７）に、イヤホーン（２２、２２）又は補聴器（１６、１６）が着脱可能に設けられていることを特徴とする請求項１〜５の何れかに記載のパッド無しメガネ。
【手続補正３】
【補正対象書類名】図面
【補正対象項目名】図３
【補正方法】変更
【補正の内容】
【図３】
2010176044.tif 000016
【手続補正４】
【補正対象書類名】図面
【補正対象項目名】図１３
【補正方法】削除
【補正の内容】
【手続補正書】
【提出日】平成21年6月30日(2009.6.30)
【手続補正１】
【補正対象書類名】明細書
【補正対象項目名】全文
【補正方法】変更
【補正の内容】
【発明の詳細な説明】
【技術分野】
【０００１】
本発明は、パッドを省略したメガネに関する。
【背景技術】
【０００２】
従来、メガネはレンズ、ブリッジ、ヨロイ、テンプルを、パッドとモダンで支えて掛けている。メガネは左右のレンズの間にパッドが取り付けられていて、パッドは鼻の側面に当てるようにしてメガネのレンズを固定している。メガネのレンズはテンプルによってモダンに連結されていて、このモダンは耳殻の外側の形状に沿って掛けられている。
【先行技術文献】
【特許文献】
【０００３】
【特許文献１】特開２００７−４１４６０
【特許文献２】特開２００６−１３３７２８
【特許文献３】特開平８−２１１３３８
【０００４】
特許文献１は、長いストレートテンプルと係止具を用いているので、メガネを掛けた時に邪魔になり、見た目が悪くメガネを十分固定することはできない。
【０００５】
特許文献２は、ぜんまいばねによって両方の耳の部位のみで支持されているので、ばねによる圧迫感があり、メガネは十分固定されていない。
【０００６】
特許文献３は、一方のメガネのつるに髪止め状の器具を取り付けているので、バランスが悪く傾き易い。
【発明の概要】
【発明が解決しようとする課題】
【０００７】
パッドの大きさ、形状は様々であり、レンズの横から見えているので、メガネのデザイン的には無い方が望ましい。またメガネを掛ける人にとっては、常に鼻の両側にパッドが触れているので、接している部分が変色して型が付き、重たく不快に感じる。パッドを省略した場合、鼻と耳との間には支持するところがない。メガネを固定する場所としてはモダンしかなく、モダンでメガネを支える方法が問題点となる。そこで本発明は、パッドを省略して、メガネをＧ型モダンで支えて、メガネを掛けるようにすることを課題としている。
【課題を解決するための手段】
【０００８】
一個又は二個のレンズ８、８がパッドを省略して形成されているレンズ部１８と、このレンズ部１８の両脇のヨロイ１２、１２とを介して、延長されているテンプル１４、１４の後に、Ｇ型モダン１、１が結合されているメガネであって、Ｇ型モダン１、１が耳殻の外側の形状に沿わせて延長されており、その終端部は耳朶３、３を避けるように前方に湾曲されており、このＧ型モダン１、１の終端部の最後尾には、耳穴２、２に固定するための保持体７、７が設けられている構造である。
【発明の効果】
【０００９】
本発明の効果として、メガネのパッドを省略することによって、メガネを掛けた人の外観は、耳朶３の前にＧ型モダン１の一部分が見えるだけである。髪の毛の多い人の場合は、このＧ型モダン１が髪の毛に隠れて見えないので、どこで止めているのか分からない。メガネのデザイン性、ファッション性が向上し、長期間メガネを掛けていても、パッドの当たる部分に型が付いたり、皮膚の色が変色したりすることが無い。またメガネを掛けた時、鼻の横に接するものが無く重さを感じる事が無いので、メガネの装着感が良い。ヨロイ５に拡大鏡部１９、ルーペ部２０を取り付けることができる。サイドミラー部２１、２６を取り付けることによって後方の安全確認ができる。
【図面の簡単な説明】
【００１０】
【図１】本発明１の実施の形態の一例を示す斜視図、説明図である。
【図２】本発明１の実施の形態の一例を示す説明図、ＡＡ線による断面図である。
【図３】本発明２の実施の形態の一例を示す斜視図である。
【図４】本発明３の実施の形態の一例を示す斜視図である。
【図５】本発明３の実施の形態の一例を示す斜視図である。
【図６】本発明４の実施の形態の一例を示す斜視図である。
【図７】本発明４の実施の形態の一例を示す斜視図である。
【図８】本発明５の実施の形態の一例を示す説明図である。
【図９】本発明６の実施の形態の一例を示す斜視図である。
【図１０】本発明７の実施の形態の一例を示す説明図である。
【図１１】本発明８の実施の形態の一例を示す説明図である。
【図１２】本発明９の実施の形態の一例を示す斜視図である。
【図１３】本発明１０の実施の形態の一例を示す斜視図である。
【発明を実施するための形態】
【００１１】
メガネの両Ｇ型モダン１、１が耳殻の外側の形状に沿わせて延長されており、その終端部は耳朶３、３を避けるように前方に湾曲されて、このＧ型モダン１、１の終端部の最後尾には、耳穴２、２に固定するための外耳道１７に嵌め込む形状又は耳穴２、２の中の窪み５、５の形状に合わせた保持体７、７を設け、この保持体７、７に固定体４、４又は固定カバー６、６が取り付けられている構造である。
【実施例１】
【００１２】
そこで、本発明の請求項１記載のパッド無しメガネ（以下、本発明１と言う）は、一個又は二個のレンズ８、８がパッドを省略して形成されているレンズ部１８と、このレンズ部１８の両脇のヨロイ１２、１２とを介して、延長されているテンプル１４、１４の後に、Ｇ型モダン１、１が結合されているメガネであって、上記Ｇ型モダン１、１が耳殻の外側の形状に沿わせて延長されており、その終端部は耳朶３、３を避けるように前方に湾曲されており、このＧ型モダン１、１の終端部の最後尾には、耳穴２、２に固定するための保持体７、７が設けられていて、この保持体７、７は貫通孔１３を有するイヤホーン状体の形状又は、外耳道１７を塞がないように耳穴２の中の窪み５の形状に合わせるように成されていることを特徴としている。
【００１３】
実施の形態の一例として、第１a図は本発明１の斜視図であり、二個のレンズ８、８がパッドを省略して形成されているレンズ部１８と、このレンズ部１８の両脇のヨロイ１２、１２とを介して、延長されているテンプル１４、１４の後に、Ｇ型モダン１、１を結合させ、メガネのＧ型モダン１、１を耳殻の外側の形状に沿わせて延長させ、その終端部は耳朶３、３を避けるように前方に湾曲させて、このＧ型モダン１、１の終端部の最後尾に、耳穴２、２に固定するための保持体７、７を設けていることを示している。
【００１４】
実施の形態の一例として、第１b図は第１a図の保持体７の部分拡大図である。保持体７は外耳道１７に嵌め込み易いようにイヤホーン状体の形状をしていて、音が聞こえるように貫通孔１３を設けている。このイヤホーン状体は外耳道１７内に入り過ぎないように外耳道１７より大きいストッパーを設けた形状であり、外耳道１７に嵌め込んで固定することができる。第１c図は別の形状の保持体７の拡大図であり、外耳道１７近傍の窪み５に嵌め込んで固定する部分にイヤホーン状体を取り付けた形状であり、外耳道１７を塞がないように貫通孔１３を設けている。
【００１５】
実施の形態の一例として、第１ｄ図は別の形状の保持体７の図であり、耳穴２の中の窪み５の形状に合わせ、外耳道１７を塞がないような形状で、窪み５に接して固定することができる。本発明１のＧ型モダン１を耳に固定した状態を示している。２個の保持体７を２箇所の外耳道１７に嵌め込んで固定し、２個のＧ型モダン１を耳殻に掛けることによってメガネを支えることができる。メガネのレンズは浮いた状態となりパッドを省略することができる。Ｇ型モダン１、保持体７の材質を皮膚への接触感の良い弾性体で製作することによって、簡単にメガネを掛けたり外したりすることができる。
【００１６】
実施の形態の一例として、第２a図は本発明１のＧ型モダン１の図であり、第２ｃ図は本発明１のＧ型モダン１を耳に掛けている状態を示している図であり、第２ｄ図は第２ｃ図のＡＡ線による断面図である。このＧ型モダン１は耳殻の外側の形状に沿わせて延長させ、終端部の最後尾に設けた保持体７の形状はイヤホーン状体である、この保持体７を外耳道１７に嵌めるようにして固定することができる。第２b図は別の保持体７の形状の図であり、耳殻の外側の形状に沿わせて延長させたＧ型モダン１、１の最後尾の保持体７、７は、耳穴６の中の窪み５に嵌め込むようにした形状であり、外耳道１７を塞がない形状であることを示している。
【００１７】
本発明で言う耳穴２とは、外耳道１７ではなく耳殻、耳朶３で囲われた凹んだ部分を指している。本発明の保持体７の形状は、耳穴２の中の窪み５の形状が人によって様々であり、窪み５の形状に合わせた保持し易い形状であれば良く、耳穴２に納まる大きさであれば保持体７の形状は限定しない。保持体７の材質はＧ型モダン１と同一であり、スポンジ、プラスチック、ゴム、金属、セラミックなどである。本発明１で言うメガネは、度付きメガネ、３Ｄ用メガネ、度の付いて無いメガネ、サングラス、風防メガネなどである。
【実施例２】
【００１８】
本発明の請求項２記載のパッド無しメガネ（以下、本発明２と言う）は、左右２本のテンプル１４、１４の先に設けたヨロイ５、５に、二個のレンズ８、８のブリッジを省略して取り付け、このテンプル１４、１４の後にＧ型モダン１、１が耳殻の外側の形状に沿わせて延長されており、その終端部は耳朶３、３を避けるように前方に湾曲されており、このＧ型モダン１、１の終端部の最後尾には、耳穴６、６に固定するための保持体７、７が設けられ、このＧ型モダン１、１が支持体３０によって結合されていることを特徴としている。
【００１９】
実施の形態の一例として、第３a図は本発明２の斜視図であり、左右２本のテンプル１４、１４の先に設けたヨロイ５、５に、二個のレンズ８、８のブリッジを省略して取り付け、このテンプル１４、１４の後にＧ型モダン１、１が耳殻の外側の形状に沿わせて延長させ、その終端部は耳朶３、３を避けるように前方に湾曲させ、このＧ型モダン１、１の終端部の最後尾には、耳穴６、６に固定するための保持体７、７が設けられ、このＧ型モダン２、２が支持体３０によって結合されていることを示している。
【００２０】
第３b図が示しているのは、メガネを外す時に、ヨロイ５、５に取り付けたレンズ８、８を前方に回転させて開くことによって、メガネを外すことができる。第６c図は支持体３０とＧ型モダン２、２を着脱可能にしてあり、分解して仕舞うことができることを示している。本発明２のＧ型モダン２に掛け渡して結合している支持体３０が頭の後に沿って接して止まっている。この支持体３０の形状は頭の後に沿っていれば良く、頭の上方に伸びる形状でも良い。
【実施例３】
【００２１】
本発明の請求項３記載のパッド無しメガネ（以下、本発明３と言う）は、上記レンズ部１８の代わりに、一個又は二個の拡大鏡９、９がパッドを省略して形成されている拡大鏡部１９で成されていることを特徴としている。
【００２２】
実施の形態の一例として、第４a図は本発明３の一個の拡大鏡９を取り付けたメガネの斜視図である。一個の横長の拡大鏡９がパッドを省略して形成されている拡大鏡部１９
と、この拡大鏡部１９の両脇のヨロイ１２、１２とを介して、延長されているテンプル１４、１４の後に、Ｇ型モダン１、１が結合されていることを示している。第４b図は二個の拡大鏡９、９がパッドを省略して形成されている拡大鏡部１９と、この拡大鏡部１９の両脇のヨロイ１２、１２とを介して、延長されているテンプル１４、１４の後にＧ型モダン１、１が結合されていることを示している。
【００２３】
かかる構成により、従来、手で持って使用していた拡大鏡９を、メガネの形状にした拡大鏡メガネとして、耳に掛けてものを見ることができる。パッドを省略することによって鼻の負担が無くなり、テンプル１４、１４を長くすることができるので、拡大鏡９の倍率に合わせて見易い長さにすることができる。
【実施例４】
【００２４】
本発明の請求項４記載のパッド無しメガネ（以下、本発明４と言う）は、上記レンズ部１８に着脱部１５、１５を設け、前方に補助テンプル２４、２４を真っ直ぐに延設し、この補助テンプル２４、２４の先端にルーペ１０を結合させてルーペ部２０とし、このルーペ部２０を着脱可能に設けるか、又は上記補助テンプル２４、２４の後端に結合部２３、２３を取り付けルーペ部２５とし、このルーペ部２５が上記テンプル１４、１４に、着脱可能に設けられていることを特徴としている。
【００２５】
実施の形態の一例として、第５a図は本発明４のルーペ部２０を取り付けたメガネの斜視図である。レンズ部１８の両脇のヨロイ１２、１２に着脱部１５を設け、前方に、補助テンプル２４、２４を延設し、その先端にルーペ１０が設けられていることを示している図である。第５ｂ図は第５a図の着脱部１５の部分拡大図であり、着脱可能にした補助テンプル２４、２４の後端を、レンズ部１８の両脇のヨロイ１２、１２に設けた着脱部１５に差し込んだ状態を示している。第５ｃ図は本発明４の補助テンプル２４、２４の後端を、テンプル１４、１４の先端部近傍に設けた着脱部１５に差し込んだ状態を示している。着脱部１５の形状は、貫通孔を設けた形状、挟んで固定する形状、噛み合わせて固定する方法など限定しない。
【００２６】
実施の形態の一例として、第６a図は本発明４のルーペ部２５を取り付けたメガネの斜視図であり、ルーペ部２５の補助テンプル２４、２４の後端に取り付けた結合部２３、２３を、テンプル１４、１４に嵌め込んだことを示している。第６ｂ図はルーペ部２５を示している。第６ｃ図は第６ｂ図の結合部２３、２３の部分拡大図であり、各々二個の結合部２３、２３でテンプル１４、１４を挟んでルーペ部２５を固定することができる。
【００２７】
かかる構成により、従来、手で持って使用していたルーペ１０を、本発明１のメガネのヨロイ１２に設けた着脱部１５に、ルーペ部２５を差し込んでルーペメガネとして、耳に掛けてものを見ることができる。またルーペ部２５の交換を簡単にすることができる。レンズ部１８に取り付けた着脱部１５の位置は、レンズフレーム、レンズ、レンズの周縁、ヨロイ１２、１２近傍、テンプル１４、１４の先端部など限定しない。
【００２８】
補助テンプル２４、２４の長さを調整可能にすることもできる。ルーペ１０の倍率に合わせて見やすい長さにすることができる。そしてルーペ部２５の交換を容易にすることができる。
【実施例５】
【００２９】
本発明の請求項５記載のパッド無しメガネ（以下、本発明５と言う）は、上記レンズ部１８に着脱部１５、１５を設け、前方に補助テンプル２４、２４を延設し、この補助テンプル２４、２４の先端に２個の鏡１１、１１を結合させてサイドミラー部２１、２１とし、このサイドミラー部２１、２１を着脱可能に設けるか、又は上記補助テンプル２４、２４の後端に結合部２３、２３を取り付けてサイドミラー部２６、２６とし、この２個のサイドミラー部２６、２６を着脱可能に設けられていることを特徴としている。
【００３０】
実施の形態の一例として、第７a図は本発明５のメガネの両側端に二個のサイドミラー部２１、２１を取り付けた斜視図であり、第７ｂ図は第７a図の着脱部１５の部分拡大図である。着脱可能にしたサイドミラー部２１、２１の補助テンプルの後端を、レンズ部１８の両脇のヨロイ１２、１２に設けた着脱部１５、１５に差し込んだ状態を示している。第７ｃ図は本発明４のサイドミラー部２１、２１の後端を、テンプル１４、１４に取り付けた着脱部１５、１５に差し込んだ状態を示している部分拡大図である。
【００３１】
かかる構成により、２個の鏡１１、１１が顔の前方両側の位置に成るように２個のサイドミラー部２１、２１を取り付け、目を動かして一方の鏡１１を見ることによって、肩越しに後方の安全確認をすることができる。補助テンプル２４を前方に延設する方向は、鏡１１を横切らない方向であれば良く、補助テンプル２４の先端の取り付ける鏡１１の位置は限定しない。補助テンプル２４の先端に鏡１１を回動可能に取り付けることによって、後方を見る角度を調整することができる。
【００３２】
レンズ部１８に取り付けた着脱部１５、１５を設ける位置は、レンズフレーム、レンズ８、８、ヨロイ１２、１２近傍、テンプル１４、１４の先端部など限定しない。
【００３３】
実施の形態の一例として、第８a図は本発明５のサイドミラー部２６を取り付けたメガネの斜視図であり、サイドミラー部２６、２６の補助テンプル２４、２４の後端に取り付けた結合部２３、２３・・を、テンプル１４、１４に嵌め込んだことを示している。第８ｂ図はサイドミラー部２６を示している。第８ｃ図は第７ｂ図の結合部２３、２３の部分拡大図であり、各々２個の結合部２３、２３でテンプル１４を挟んでサイドミラー部２６を固定することができる。第８d図は左右の鏡１１、１１を連結させてサイドミラー部２６とし、テンプル１４、１４に取り付けている斜視図である。かかる構成により、鏡１１、１１は固定されサイドミラー部２６を容易に着脱することができる。
【実施例６】
【００３４】
本発明の請求項６記載のパッド無しメガネ（以下、本発明６と言う）は、上記２本のテンプル１４、１４の間に、ヘッドバンド２９が頭の外側の形状に沿わせて掛け渡して取り付けられていることを特徴としている。
【００３５】
実施の形態の一例として、第９a図は本発明１のメガネにヘッドバンド２９を取り付けた斜視図であり、第９ｂ図は本発明２の拡大鏡９にヘッドバンド２９を取り付けた斜視図であり、第９ｃ図は本発明５のサイドミラーを取り付けたメガネにヘッドバンド２９を取り付けた斜視図である。長時間メガネを使用する時に、保持体７の負担を分散するために補助的にヘッドバンド２９を使用することができる。ヘッドバンド２９の材質は、ゴム、プラスチック、織り布、紐などである。
【実施例７】
【００３６】
本発明の請求項７記載のパッド無しメガネ（以下、本発明７と言う）は、上記両Ｇ型モダン１、１の最後尾に保持体７、７に変えて、保持体７、７の形状より大きく、外耳道１７ではなく耳殻、耳朶３で囲われた窪んだ部分の中の複数の窪み５、５・・・に収まる形状の固定体４、４・・・又は固定カバー６、６が設けられていることを特徴としている。
【００３７】
実施の形態の一例として、第１０a図は本発明７の固定体４の側面図である。本発明１のＧ型モダン１の最後尾に設けた保持体７に変えて、保持体７、７の形状より大きく、外耳道１７ではなく耳殻、耳朶３で囲われた窪んだ部分の複数の窪み５、５・・・に収まる大きさの固定体４を、外耳道１７を塞がないように貫通孔１３を設けて取り付けたことを示している。第１０ｂ図は本発明７の固定体４を取り付けたＧ型モダン１を耳に掛けた状態を示している。
【００３８】
実施の形態の一例として、第１０ｃ図は本発明１のＧ型モダン１の最後尾に設けた保持体７に、耳殻を覆う固定カバー６を、外耳道１７を塞がないように貫通孔１３設けて取り付けたことを示している。第１０ｄ図は本発明７の固定カバー６を取り付けたＧ型モダン１を耳に掛けた状態を示している。
【００３９】
かかる構成により、本発明７は、人によって耳穴２の形状が異なっているので、固定体４の形状を耳穴２や窪み５の形状に合わせた形状にすることによって、Ｇ型モダン１の固定の補助をすることができる。また固定カバー６においても同様に、人の耳殻、耳穴２の形状に合わせることによって、メガネに大きな形のレンズ８、拡大鏡１９、ルーペ１０、鏡１１などの固定の補助をすることができる。
【実施例８】
【００４０】
本発明の請求項８記載のパッド無しメガネ（以下、本発明８と言う）は、上記Ｇ型モダン１、１に屈曲部２７、２７を設け、屈曲可能に成されていることを特徴としている。
【００４１】
実施の形態の一例として、第１１a図は本発明８の斜視図であり、第１１ｂ図は屈曲部２７を内側に回転させて折り曲げた状態を示す図であり、  第１１ｃ図は第１１ｂ図の屈曲部２７の部分拡大図である。本発明１のメガネを外した後に、略中央部に設けた屈曲部２７によって、Ｇ型モダン１の下方部分を内側に回転させて折り曲げてコンパクトにすることができる。
【実施例９】
【００４２】
本発明の請求項９記載のパッド無しメガネ（以下、本発明９と言う）は、上記保持体７、７に、イヤホーン２２、２２又は補聴器１６、１６が着脱可能に設けられていることを特徴としている。
【００４３】
実施の形態の一例として、第１２a図は本発明９の保持体７の斜視図であり、補聴器１６を嵌め込むために保持体７がリング状体と成っていることを示している。第１２ｂ図はリング状体に補聴器１６を嵌め込んだ図である。第１２ｃ図は本発明１の保持体７に補聴器１６を嵌め込んだ図である。第１２ｄ図は本発明１の保持体７にイヤホーン２２を取り付け、固定カバー６を取り付けたことを示している。
【００４４】
かかる構成により、補聴器１６、イヤホーン２２を取り付けることによって、保持体７の代わりをすることができる。
【００４５】
本発明の請求項１０記載のパッド無しメガネ（以下、本発明１０と言う）は、上記両Ｇ型モダン１、１の耳朶３近傍に装飾品２８が取り付けられていることを特徴としている。
【００４６】
実施の形態の一例として、第１３a図、第１３b図は本発明１のＧ型モダン１の耳朶３近傍に装飾品２８を取り付けた図であり、この装飾品２８によってＧ型モダン１の外観から見える部分を隠すことができる。また、ピアスの代わりに装飾品２８を取り付けてお洒落を楽しむことができる。
【産業上の利用可能性】
【００４７】
以上のように、メガネのパッドを省略することによって、メガネのファッション性が向上し、メガネを掛けた時は本発明のＧ型モダン１の一部分が耳朶３近傍に見えるだけであり、髪の毛の多い人の場合は見えない。長期間メガネを掛けても、鼻の横に形が付いたり、皮膚の色が変色したりすることが無く、鼻に重さを感じる事が無く、実装感の良いメガネである。拡大鏡部１９、ルーペ部２０、サイドミラー部２１、２６、イヤホーン２２、補聴器１６、装飾品２８など取り付け、便利に楽しく使用することができるメガネとして適している
【符号の説明】
【００４８】
１    Ｇ型モダン
２    耳穴
３    耳朶
４    固定体
５    窪み        
６    固定カバー
７    保持体
８    レンズ
９    拡大鏡
１０    ルーペ
１１    鏡
１２    ヨロイ
１３    貫通孔
１４    テンプル
１５    着脱部
１６    補聴器
１７    外耳道
１８    レンズ部
１９    拡大鏡部
２０    ルーペ部
２１    サイドミラー部
２２    イヤホーン
２３    結合部
２４    補助テンプル
２５    ルーペ部
２６    サイドミラー部
２７    屈曲部
２９    ヘッドバンド
３０    支持体
【手続補正２】
【補正対象書類名】特許請求の範囲
【補正対象項目名】全文
【補正方法】変更
【補正の内容】
【特許請求の範囲】
【請求項１】
一個又は二個のレンズ（８、８）がパッドを省略して形成されているレンズ部（１８）と、このレンズ部（１８）の両脇のヨロイ（１２、１２）とを介して、延長されているテンプル（１４、１４）の後に、Ｇ型モダン（１、１）が結合されているメガネであって、上記Ｇ型モダン（１、１）が耳殻の外側の形状に沿わせて延長されており、その終端部は耳朶（３、３）を避けるように前方に湾曲されており、このＧ型モダン（１、１）の終端部の最後尾には、耳穴（２、２）に固定するための保持体（７、７）が設けられていて、この保持体（７、７）は貫通孔（１３）を有するイヤホーン状体の形状又は、外耳道（１７）を塞がないように耳穴（２）の中の窪み（５）の形状に合わせるように成されていることを特徴とするパッド無しメガネ。
【請求項２】
左右２本のテンプル（１４、１４）の先に設けたヨロイ（５、５）に、二個のレンズ（８、８）のブリッジを省略して取り付け、このテンプル（１４、１４）の後にＧ型モダン（１、１）が耳殻の外側の形状に沿わせて延長されており、その終端部は耳朶（３、３）を避けるように前方に湾曲されており、このＧ型モダン（１、１）の終端部の最後尾には、耳穴（６、６）に固定するための保持体（７、７）が設けられ、このＧ型モダン（１、１）が支持体（３０）によって結合されていることを特徴とするパッド無しメガネ。
【請求項３】
上記レンズ部（１８）の代わりに、一個又は二個の拡大鏡（９、９）がパッドを省略して形成されている拡大鏡部（１９）で成されていることを特徴とする請求項１記載のパッド無しメガネ。
【請求項４】
上記レンズ部（１８）に着脱部（１５、１５）を設け、前方に補助テンプル（２４、２４）を延設し、この補助テンプル（２４、２４）の先端にルーペ（１０）を結合させてルーペ部（２０）とし、このルーペ部（２０）を着脱可能に設けるか、又は上記補助テンプル（２４、２４）の後端に結合部（２３、２３）を取り付けルーペ部（２５）とし、このルーペ部（２５）が上記テンプル（１４、１４）に、着脱可能に設けられていることを特徴とする請求項１記載のパッド無しメガネ。
【請求項５】
上記レンズ部（１８）に着脱部（１５、１５）を設け、前方に補助テンプル（２４、２４）を延設し、この補助テンプル（２４、２４）の先端に２個の鏡（１１、１１）を結合させてサイドミラー部（２１、２１）とし、このサイドミラー部（２１、２１）を着脱可能に設けるか、又は上記補助テンプル（２４、２４）の後端に結合部（２３、２３）を取り付けてサイドミラー部（２６、２６）とし、この２個のサイドミラー部（２６、２６）を着脱可能に設けられていることを特徴とする請求項１記載のパッド無しメガネ。
【請求項６】
上記２本のテンプル（１４、１４）の間に、ヘッドバンド（２９）が頭の外側の形状に沿わせて掛け渡して取り付けられていることを特徴とする請求項１〜５の何れかに記載のサイドミラー。
【請求項７】
上記両Ｇ型モダン１、１の最後尾に保持体７、７に変えて、保持体７、７の形状より大きく、外耳道１７ではなく耳殻、耳朶３で囲われた窪んだ部分の中の複数の窪み５、５・・・に収まる形状の固定体４、４・・・又は固定カバー６、６が設けられていることを特徴とする請求項１〜５の何れかに記載のパッド無しメガネ。
【請求項８】
上記Ｇ型モダン（１、１）の略中央に屈曲部（２７、２７）を設け、屈曲可能に成されていることを特徴とする請求項１〜５の何れかに記載のパッド無しメガネ。
【請求項９】
上記保持体（７、７）に、イヤホーン（２２、２２）又は補聴器（１６、１６）が着脱可能に設けられていることを特徴とする請求項１〜５の何れかに記載のパッド無しメガネ。
【請求項１０】
上記両Ｇ型モダン（１、１）の耳朶（３）近傍に装飾品（２８）が取り付けられていることを特徴とする請求項１〜５の何れかに記載のパッド無しメガネ。
【手続補正３】
【補正対象書類名】図面
【補正対象項目名】図１３
【補正方法】追加
【補正の内容】
【図１３】
2010176044.tif 000017